(57)【要約】【課題】複数のチャンネルの番組を同時に録画する際の操作性を向上した映像音声記録装置を提供する。【解決手段】ユーザ操作に応じて所望のチャンネルを選局する指示信号が入力されると、マイコン１１は、チューナ２ａ〜２ｃのうち、その出力する映像音声信号が記録媒体７に記録中であるチューナ以外のチューナのすべてに、ユーザに指示されたチャンネルの放送信号を受信させ、そのうちのいずれか１つのチューナが出力する映像音声信号をＴＶ４０に表示するように各部を制御する。録画を開始する指示信号が入力されると、マイコン１１は、その時点で出力する映像音声信号が記録媒体７に記録中でなく、ＴＶ４０に表示されている番組のチャンネルと同じチャンネルの放送信号を受信しているチューナのうちのいずれか１つから出力される映像音声信号を記録媒体７に記録するように各部を制御する。【選択図】図１
2009200795.tif 000002
【特許請求の範囲】
【請求項１】
それぞれが所望チャンネルの放送信号を受信して映像音声信号を出力する複数の選局手段と、
前記複数の選局手段のそれぞれから出力される映像音声信号を記録する記録手段と、
あるチャンネルを選局する選局指示信号が入力された場合に、前記複数の選局手段のうち、当該選局手段から出力される映像音声信号が前記記録手段に記録中の選局手段以外の他の選局手段に、前記選局指示信号が示すチャンネルの放送信号を受信させる選局制御手段と、
前記選局指示信号が示すチャンネルの放送信号を受信している選局手段のいずれか１つから出力される映像音声信号を外部の表示装置に出力する出力手段と、
録画を指示する録画指示信号が入力された場合に、前記複数の選局手段のうち、当該選局手段から出力される映像音声信号が前記記録手段に記録中の選局手段以外の選局手段であって、前記表示装置に出力中の映像音声信号に対応するチャンネルと同じチャンネルの放送信号を受信している選局手段のうちのいずれか１つから出力される映像音声信号を記録するように前記記録手段を制御する記録制御手段と
を備えることを特徴とする映像音声記録装置。
【請求項２】
録画の停止を指示する録画停止指示信号が入力された場合に、前記複数の選局手段のうち、前記表示装置に出力中の映像音声信号に対応するチャンネルと同じチャンネルの放送信号を受信し、かつ当該選局手段から出力される映像音声信号が前記記録手段に記録中である選局手段から出力される映像音声信号の記録を停止する記録停止手段をさらに備えることを特徴とする請求項１に記載の映像音声記録装置。
【発明の詳細な説明】
【技術分野】
【０００１】
本発明は、複数のチャンネルの番組を同時に録画することができる映像音声記録装置に関する。
【背景技術】
【０００２】
従来、複数のチューナを用いて、複数のチャンネルの番組を同時に録画することができる映像音声記録装置が知られている（例えば、特許文献１参照）。
【０００３】
このような映像音声記録装置において、複数のチャンネルの番組を同時に録画しようとする場合、ユーザは、各チューナの使用状態を把握して、録画に用いるチューナを選択した後、録画操作を行う。例えば、あるチューナで受信しているチャンネルの番組の録画を行っている状態で、他のチャンネルの番組の録画を行いたい場合には、ユーザは、チューナの切り換え操作を行って録画に用いていないチューナを選択した後、録画操作を行う。
【特許文献１】特開２００７−１８０８６０号公報
【発明の開示】
【発明が解決しようとする課題】
【０００４】
上述のように、従来の複数のチューナを有する映像音声記録装置では、複数のチャンネルの番組を同時に録画しようとする場合に、ユーザは煩雑な操作を行う必要があった。
【０００５】
本発明は上記に鑑みてなされたもので、複数のチャンネルの番組を同時に録画する際の操作性を向上した映像音声記録装置を提供することを目的とする。
【課題を解決するための手段】
【０００６】
上記目的を達成するため、本発明の映像音声記録装置は、それぞれが所望チャンネルの放送信号を受信して映像音声信号を出力する複数の選局手段と、前記複数の選局手段のそれぞれから出力される映像音声信号を記録する記録手段と、あるチャンネルを選局する選局指示信号が入力された場合に、前記複数の選局手段のうち、当該選局手段から出力される映像音声信号が前記記録手段に記録中の選局手段以外の他の選局手段に、前記選局指示信号が示すチャンネルの放送信号を受信させる選局制御手段と、前記選局指示信号が示すチャンネルの放送信号を受信している選局手段のいずれか１つから出力される映像音声信号を外部の表示装置に出力する出力手段と、録画を指示する録画指示信号が入力された場合に、前記複数の選局手段のうち、当該選局手段から出力される映像音声信号が前記記録手段に記録中の選局手段以外の選局手段であって、前記表示装置に出力中の映像音声信号に対応するチャンネルと同じチャンネルの放送信号を受信している選局手段のうちのいずれか１つから出力される映像音声信号を記録するように前記記録手段を制御する記録制御手段とを備えることを特徴とする。
【０００７】
また、本発明の映像音声記録装置は、録画の停止を指示する録画停止指示信号が入力された場合に、前記複数の選局手段のうち、前記表示装置に出力中の映像音声信号に対応するチャンネルと同じチャンネルの放送信号を受信し、かつ当該選局手段から出力される映像音声信号が前記記録手段に記録中である選局手段から出力される映像音声信号の記録を停止する記録停止手段をさらに備えることを特徴とする。
【発明の効果】
【０００８】
本発明によれば、複数のチャンネルの番組を同時に録画する際の操作性を向上した映像音声記録装置を提供することができる。
【発明を実施するための最良の形態】
【０００９】
以下、本発明の映像音声記録装置を実施するための最良の形態について、図面を参照して説明する。
【００１０】
図１は、本発明の実施の形態に係る映像音声記録装置の構成を示すブロック図である。図１に示すように本実施の形態に係る映像音声記録装置は、３つのチャンネルの番組を同時に録画することが可能な装置であり、分配器１と、チューナ２ａ〜２ｃと、Ａ／Ｄ変換器３ａ〜３ｃと、エンコーダ４ａ〜４ｃと、バッファ５ａ〜５ｃと、データ制御部６と、記録媒体７と、デコーダ８と、Ｄ／Ａ変換器９と、受光部１０と、マイクロコンピュータ（以下、マイコンと略す）１１と、表示部１２とを備える。
【００１１】
分配器１は、アンテナ３０で受信した放送信号を、３つのチューナ２ａ〜２ｃに分配する。
【００１２】
チューナ２ａ〜２ｃは、マイコン１１から指示されたチャンネルの放送信号を受信し、この放送信号から得られる映像音声信号を出力する。なお、以下では、説明を簡明なものとするため、「チューナ２ａ〜２ｃから出力される映像音声信号」を、適宜「チューナ２ａ〜２ｃの出力」と称する。
【００１３】
Ａ／Ｄ変換器３ａ〜３ｃは、チューナ２ａ〜２ｃから出力されるアナログ信号の映像音声信号をデジタル信号に変換する。
【００１４】
エンコーダ４ａ〜４ｃは、Ａ／Ｄ変換器３ａ〜３ｃから出力されるデジタル信号の映像音声信号を、ＭＰＥＧ−２（Moving Picture Experts Group Phase 2）等の方式で圧縮処理する。
【００１５】
バッファ５ａ〜５ｃは、エンコーダ４ａ〜４ｃで圧縮処理された映像音声信号を一時的に蓄積した後、データ制御部６に出力する。
【００１６】
データ制御部６は、バッファ５ａ〜５ｃから出力される映像音声信号を記録媒体７に記録する処理を行う。また、データ制御部６は、番組をテレビ受像機（以下、ＴＶと略す）４０に表示させるために、バッファ５ａ〜５ｃのいずれか１つからの映像音声信号をデコーダ８に出力する。
【００１７】
記録媒体７は、ハードディスク等からなり、データ制御部６から供給される映像音声信号を記録する。
【００１８】
デコーダ８は、データ制御部６から出力される映像音声信号を伸長処理してＤ／Ａ変換器９に出力する。
【００１９】
Ｄ／Ａ変換器９は、デコーダ８から出力されるデジタル信号の映像音声信号をアナログ信号に変換し、外部に設けられた表示装置であるＴＶ４０に出力する。
【００２０】
受光部１０は、リモコン２０より出力される例えば赤外線を受光し、この赤外線による伝達信号を操作信号に適宜変換してマイコン１１へ出力する。
【００２１】
リモコン２０は、受信チャンネルを順送りに切り換えるためのチャンネルアップキー２１と、受信チャンネルを逆送りに切り換えるためのチャンネルダウンキー２２と、録画開始を指示するための録画キー２３と、録画の停止を指示するための録画停止キー２４とを備える。また、いずれも図示を省略するが、電源オン、オフを指示するための電源キー、放送チャンネルのチャンネル番号に対応した数字キー等も備えている。
【００２２】
マイコン１１は、映像音声記録装置に設けられた各部を統括的に制御する。
【００２３】
表示部１２は、映像音声記録装置の前面等に設けられ、録画中の番組のチャンネル番号等の各種情報を表示する。
【００２４】
次に、以上のように構成された本実施の形態に係る映像音声記録装置の動作について説明する。
【００２５】
まず、放送される番組をＴＶ４０に表示する動作について説明する。以下、チューナ２ａの出力をＴＶ４０に表示する場合について説明するが、チューナ２ｂ，２ｃの出力をＴＶ４０に表示する動作も同様である。
【００２６】
チューナ２ａは、所望チャンネルの放送信号を受信し、この放送信号から得られる映像音声信号を出力する。Ａ／Ｄ変換器３ａは、チューナ２ａから出力された映像音声信号をデジタル信号に変換して出力し、エンコーダ４ａは、Ａ／Ｄ変換部３ａから出力されたデジタル信号の映像音声信号を圧縮してバッファ５ａに出力する。
【００２７】
バッファ５ａは、エンコーダ４ａから出力された映像音声信号を一時的に蓄積した後、データ制御部６に出力する。データ制御部６は、バッファ５ａから出力された映像音声信号をデコーダ８に供給し、デコーダ８は、データ制御部６から出力された映像音声信号を伸長処理してＤ／Ａ変換器９に出力する。
【００２８】
そして、Ｄ／Ａ変換器９は、デコーダ８から出力されたデジタル信号の映像音声信号をアナログ信号に変換し、外部に設けられたＴＶ４０に出力する。これにより、チューナ２ａの出力がＴＶ４０に表示される。
【００２９】
次に、番組を録画する動作について説明する。
【００３０】
上述した番組をＴＶ４０に表示する場合と同様の処理により、チューナ２ａから出力された映像音声信号をＡ／Ｄ変換器３ａでデジタル信号に変換し、エンコーダ４ａで圧縮して、バッファ５ａを介してデータ制御部６に出力する。そして、データ制御部６は、バッファ５ａから出力された映像音声信号を記録媒体７に記録する。
【００３１】
なお、チューナ２ｂ，２ｃの出力を記録する動作も同様である。また、複数のチューナの出力を同時に記録することもできる。
【００３２】
次に、ユーザにより選局操作が行われた際の映像音声記録装置の動作について、図２、図３に示すフローチャートを参照して説明する。
【００３３】
ユーザがリモコン２０のチャンネルアップキー２１、チャンネルダウンキー２２、または数字キーを操作することにより、所望のチャンネルを選局する指示信号が受光部１０を介して入力されると、ステップＳ１０において、マイコン１１は、チューナ２ａの出力を記録媒体７に記録中であるか否かを判断する。
【００３４】
チューナ２ａの出力を記録中である場合（ステップＳ１０：ＹＥＳ）、ステップＳ３０に進む。チューナ２ａの出力を記録中でない場合（ステップＳ１０：ＮＯ）、ステップＳ２０において、マイコン１１は、チューナ２ａを制御して、ユーザに指示されたチャンネルを選局させる。
【００３５】
ステップＳ３０では、マイコン１１は、チューナ２ｂの出力を記録媒体７に記録中であるか否かを判断する。チューナ２ｂの出力を記録中である場合（ステップＳ３０：ＹＥＳ）、ステップＳ５０に進む。チューナ２ｂの出力を記録中でない場合（ステップＳ３０：ＮＯ）、ステップＳ４０において、マイコン１１は、チューナ２ｂを制御して、ユーザに指示されたチャンネルを選局させる。
【００３６】
ステップＳ５０では、マイコン１１は、チューナ２ｃの出力を記録媒体７に記録中であるか否かを判断する。チューナ２ｃの出力を記録中である場合（ステップＳ５０：ＹＥＳ）、ステップＳ７０に進む。チューナ２ｃの出力を記録中でない場合（ステップＳ５０：ＮＯ）、ステップＳ６０において、マイコン１１は、チューナ２ｃを制御して、ユーザに指示されたチャンネルを選局させる。
【００３７】
ステップＳ７０では、マイコン１１は、ステップＳ２０のチューナ２ａの選局動作を行ったか否かを判断する。チューナ２ａの選局動作を行った場合（ステップＳ７０：ＹＥＳ）、ステップＳ８０において、マイコン１１は、各部を制御してチューナ２ａの出力をＴＶ４０に表示させる。
【００３８】
チューナ２ａの選局動作を行わなかった場合（ステップＳ７０：ＮＯ）、ステップＳ９０において、マイコン１１は、ステップＳ４０のチューナ２ｂの選局動作を行ったか否かを判断する。チューナ２ｂの選局動作を行った場合（ステップＳ９０：ＹＥＳ）、ステップＳ１００において、マイコン１１は、各部を制御してチューナ２ｂの出力をＴＶ４０に表示させる。
【００３９】
チューナ２ｂの選局動作を行わなかった場合（ステップＳ９０：ＮＯ）、ステップＳ１１０において、マイコン１１は、ステップＳ６０のチューナ２ｃの選局動作を行ったか否かを判断する。チューナ２ｃの選局動作を行った場合（ステップＳ１１０：ＹＥＳ）、ステップＳ１２０において、マイコン１１は、各部を制御してチューナ２ｃの出力をＴＶ４０に表示させる。
【００４０】
チューナ２ｃの選局動作を行わなかった場合（ステップＳ１１０：ＮＯ）、ステップＳ１３０において、マイコン１１は、チューナ２ａ〜２ｃの中から、ＴＶ４０の表示に用いるチューナを選択する。この場合、ユーザの選局操作時において、すべてのチューナ２ａ〜２ｃの出力が記録媒体７に記録中で、いずれか１つのチューナの出力がＴＶ４０に表示されている状態であるが、ユーザに指示されたチャンネルとＴＶ４０に表示されているチャンネルとを比較して、選局操作後にＴＶ４０の表示に用いるチューナを選択する。例えば、ユーザに指示されたチャンネルと同じチャンネルを受信しているチューナがある場合は、そのチューナをＴＶ４０の表示に用いるチューナとして選択する。
【００４１】
そして、ステップＳ１４０において、マイコン１１は、各部を制御してステップＳ１３０で選択したチューナの出力をＴＶ４０に表示させる。
【００４２】
上記の一連の処理により、ユーザにより選局操作が行われると、チューナ２ａ〜２ｃのうち、その出力が記録媒体７に記録中であるチューナ以外のチューナ（録画に用いていないチューナ）のすべてが、ユーザに指示されたチャンネルの放送信号を受信し、その録画に用いていないチューナのうちのいずれか１つの出力がＴＶ４０に表示されている状態となる。すべてのチューナ２ａ〜２ｃの出力が記録媒体７に記録中である場合は、チューナ２ａ〜２ｃのいずれかの出力がＴＶ４０に表示される。
【００４３】
次に、ユーザにより録画開始の操作が行われた際の映像音声記録装置の動作について、図４に示すフローチャートを参照して説明する。
【００４４】
ユーザが選局操作を行った後、リモコン２０の録画キー２３を操作することにより、録画を開始する指示信号が受光部１０を介して入力されると、ステップＳ２１０において、マイコン１１は、チューナ２ａの出力をＴＶ４０に表示しているか否かを判断する。チューナ２ａの出力をＴＶ４０に表示している場合（ステップＳ２１０：ＹＥＳ）、ステップＳ２２０に進み、チューナ２ａの出力をＴＶ４０に表示していない場合（ステップＳ２１０：ＮＯ）、ステップＳ２７０に進む。
【００４５】
ステップＳ２２０では、マイコン１１は、チューナ２ｂの出力を記録媒体７に記録中であるか否かを判断する。チューナ２ｂの出力を記録中である場合（ステップＳ２２０：ＹＥＳ）、ステップＳ２８０に進み、チューナ２ｂの出力を記録中でない場合（ステップＳ２２０：ＮＯ）、ステップＳ２３０に進む。
【００４６】
ステップＳ２３０では、マイコン１１は、ＴＶ４０に表示中のチャンネルの番組はいずれかのチューナを用いてすでに録画中であるか否かを判断する。録画中である場合（ステップＳ２３０：ＹＥＳ）、ステップＳ２４０に進み、録画中でない場合（ステップＳ２３０：ＮＯ）、ステップＳ２６０に進む。
【００４７】
ステップＳ２４０では、マイコン１１は、デコーダ８の内部に設けられた図示しないＯＳＤ（On Screen Display）回路を制御することによって、すでに録画中の番組をさらに録画するか否かをユーザに選択させるための確認画面をＴＶ４０に表示する。ユーザはリモコン操作により、この確認画面上で、すでに録画中の番組を録画するか否かの選択を行う。
【００４８】
次いで、ステップＳ２５０において、マイコン１１は、ユーザ操作により録画する指示が受光部１０を介して入力されたか否かを判断する。録画する指示が入力された場合（ステップＳ２５０：ＹＥＳ）、ステップＳ２６０において、マイコン１１は、各部を制御してチューナ２ｂの出力を記録媒体７に記録させる。録画する指示が入力されなかった場合（ステップＳ２５０：ＮＯ）、一連の処理を終了する。
【００４９】
ステップＳ２７０では、マイコン１１は、チューナ２ｂの出力をＴＶ４０に表示しているか否かを判断する。チューナ２ｂの出力をＴＶ４０に表示している場合（ステップＳ２７０：ＹＥＳ）、ステップＳ２８０に進み、チューナ２ｂの出力をＴＶ４０に表示していない場合（ステップＳ２７０：ＮＯ）、つまりチューナ２ｃの出力をＴＶ４０に表示している場合、ステップＳ３３０に進む。
【００５０】
ステップＳ２８０では、マイコン１１は、チューナ２ｃの出力を記録媒体７に記録中であるか否かを判断する。チューナ２ｃの出力を記録中である場合（ステップＳ２８０：ＹＥＳ）、ステップＳ３３０に進み、チューナ２ｃの出力を記録中でない場合（ステップＳ２８０：ＮＯ）、ステップＳ２９０に進む。
【００５１】
ステップＳ２９０〜Ｓ３１０では、前述のステップＳ２３０〜Ｓ２５０と同様の処理を行い、ステップＳ３１０の判断において、録画する指示が入力された場合（ステップＳ３１０：ＹＥＳ）、ステップＳ３２０において、マイコン１１は、各部を制御してチューナ２ｃの出力を記録媒体７に記録させる。
【００５２】
ステップＳ３３０では、マイコン１１は、チューナ２ａの出力を記録媒体７に記録中であるか否かを判断する。チューナ２ａの出力を記録中である場合（ステップＳ３３０：ＹＥＳ）、ステップＳ３８０に進み、チューナ２ａの出力を記録中でない場合（ステップＳ３３０：ＮＯ）、ステップＳ３４０に進む。
【００５３】
ステップＳ３４０〜Ｓ３６０では、前述のステップＳ２３０〜Ｓ２５０と同様の処理を行い、ステップＳ３６０の判断において、録画する指示が入力された場合（ステップＳ３６０：ＹＥＳ）、ステップＳ３７０において、マイコン１１は、各部を制御してチューナ２ａの出力を記録媒体７に記録させる。
【００５４】
ステップＳ３８０では、マイコン１１は、チューナ２ｂの出力を記録媒体７に記録中であるか否かを判断する。チューナ２ｂの出力を記録中である場合（ステップＳ３８０：ＹＥＳ）、ステップＳ４３０に進み、チューナ２ｂの出力を記録中でない場合（ステップＳ３８０：ＮＯ）、ステップＳ３９０に進む。
【００５５】
ステップＳ３９０〜Ｓ４１０では、前述のステップＳ２３０〜Ｓ２５０と同様の処理を行い、ステップＳ４１０の判断において、録画する指示が入力された場合（ステップＳ４１０：ＹＥＳ）、ステップＳ４２０において、マイコン１１は、各部を制御してチューナ２ｂの出力を記録媒体７に記録させる。
【００５６】
ステップＳ４３０では、マイコン１１は、チューナ２ｃの出力を記録媒体７に記録中であるか否かを判断する。チューナ２ｃの出力を記録中である場合（ステップＳ４３０：ＹＥＳ）、ステップＳ４８０に進み、チューナ２ｃの出力を記録中でない場合（ステップＳ４３０：ＮＯ）、ステップＳ４４０に進む。
【００５７】
ステップＳ４４０〜Ｓ４６０では、前述のステップＳ２３０〜Ｓ２５０と同様の処理を行い、ステップＳ４６０の判断において、録画する指示が入力された場合（ステップＳ４６０：ＹＥＳ）、ステップＳ４７０において、マイコン１１は、各部を制御してチューナ２ｃの出力を記録媒体７に記録させる。
【００５８】
ステップＳ４８０では、マイコン１１は、デコーダ８の内部のＯＳＤ回路を制御することによって、録画できない旨をＴＶ４０に表示する。
【００５９】
上記の一連の処理により、ユーザにより録画開始の操作が行われると、その時点で録画に用いられておらず、ＴＶ４０に表示されている番組のチャンネルと同じチャンネルの放送信号を受信しているチューナの出力が記録媒体７に記録される。録画に用いられていないチューナが複数あるときは、その出力がＴＶ４０に表示されていないチューナ（ＴＶ表示に用いていないチューナ）のうちのいずれか１つの出力が記録媒体７に記録される。なお、録画に用いられていないチューナは、前述の選局操作時の処理により、すべて同じチャンネルの放送信号を受信している。すべてのチューナ２ａ〜２ｃの出力が記録媒体７に記録中である場合は、録画できない旨がＴＶ４０に表示される。
【００６０】
次に、ユーザにより録画停止の操作が行われた際の映像音声記録装置の動作について、図５に示すフローチャートを参照して説明する。
【００６１】
ユーザがリモコン２０の録画停止キー２４を操作することにより、録画を停止する指示信号が受光部１０を介して入力されると、ステップＳ５１０において、マイコン１１は、ＴＶ４０に表示中のチャンネルの放送信号をチューナ２ａが受信中であるか否かを判断する。受信中である場合（ステップＳ５１０：ＹＥＳ）、ステップＳ５２０に進み、受信中でない場合（ステップＳ５１０：ＮＯ）、ステップＳ５４０に進む。
【００６２】
ステップＳ５２０では、マイコン１１は、チューナ２ａの出力を記録媒体７に記録中であるか否かを判断する。記録中である場合（ステップＳ５２０：ＹＥＳ）、ステップＳ５３０において、マイコン１１は、エンコーダ４ａの停止準備を行う。記録中でない場合（ステップＳ５２０：ＮＯ）、ステップＳ５４０に進む。
【００６３】
ステップＳ５４０では、マイコン１１は、ＴＶ４０に表示中のチャンネルの放送信号をチューナ２ｂが受信中であるか否かを判断する。受信中である場合（ステップＳ５４０：ＹＥＳ）、ステップＳ５５０に進み、受信中でない場合（ステップＳ５４０：ＮＯ）、ステップＳ５７０に進む。
【００６４】
ステップＳ５５０では、マイコン１１は、チューナ２ｂの出力を記録媒体７に記録中であるか否かを判断する。記録中である場合（ステップＳ５５０：ＹＥＳ）、ステップＳ５６０において、マイコン１１は、エンコーダ４ｂの停止準備を行う。記録中でない場合（ステップＳ５５０：ＮＯ）、ステップＳ５７０に進む。
【００６５】
ステップＳ５７０では、マイコン１１は、ＴＶ４０に表示中のチャンネルの放送信号をチューナ２ｃが受信中であるか否かを判断する。受信中である場合（ステップＳ５７０：ＹＥＳ）、ステップＳ５８０に進み、受信中でない場合（ステップＳ５７０：ＮＯ）、ステップＳ６００に進む。
【００６６】
ステップＳ５８０では、マイコン１１は、チューナ２ｃの出力を記録媒体７に記録中であるか否かを判断する。記録中である場合（ステップＳ５８０：ＹＥＳ）、ステップＳ５９０において、マイコン１１は、エンコーダ４ｃの停止準備を行う。記録中でない場合（ステップＳ５８０：ＮＯ）、ステップＳ６００に進む。
【００６７】
ステップＳ６００では、マイコン１１は、停止準備中のエンコーダが複数あるか否かを判断する。複数ある場合（ステップＳ６００：ＹＥＳ）、ステップＳ６１０に進み、複数でない場合（Ｓ６００：ＮＯ）ステップＳ６２０に進む。
【００６８】
ステップＳ６１０では、マイコン１１は、デコーダ８の内部のＯＳＤ回路を制御して、停止するエンコーダをユーザに選択させるための選択画面をＴＶ４０に表示する。ユーザはリモコン操作により、この選択画面上で、停止するエンコーダの選択を行う。
【００６９】
そして、ステップＳ６２０において、マイコン１１は、停止準備中のエンコーダの処理を停止することにより、対応するチューナの出力の記録媒体７への記録を停止する。ここで、ステップＳ６１０において、ユーザ操作により、処理を停止するエンコーダの選択が行われた場合は、その選択されたエンコーダを停止する。
【００７０】
上記の一連の処理により、ユーザにより録画停止の操作が行われると、その時点でＴＶ４０に表示されている番組の録画が停止される。
【００７１】
次に、本実施の形態に係る映像音声記録装置で録画および録画停止を行う具体的な手順について、２つのチャンネルの番組を同時に録画し、その後録画停止する場合を例に説明する。
【００７２】
いま、録画を行っておらず、チューナ２ａの出力がＴＶ４０に表示されているとする。この状態において、ユーザがリモコン２０を操作することにより、例えば４ＣＨの選局を指示すると、図２、図３のフローチャートに示した処理により、チューナ２ａは４ＣＨの放送信号を受信し、このチューナ２ａの出力がＴＶ４０に表示される。同時に、チューナ２ｂ，２ｃも４ＣＨの放送信号を受信する。
【００７３】
次いで、ユーザがリモコン２０の録画キー２３を押下すると、図４のフローチャートに示した処理により、チューナ２ｂの出力が記録媒体７に記録される。この際、４ＣＨを録画中であることが表示部１２に表示される。
【００７４】
次いで、ユーザがリモコン２０を操作して、例えば８ＣＨの選局を指示すると、図２、図３のフローチャートに示した処理により、チューナ２ａは８ＣＨの放送信号を受信し、このチューナ２ａの出力がＴＶ４０に表示される。同時に、録画に用いていないチューナ２ｃも８ＣＨの放送信号を受信する。
【００７５】
次いで、ユーザがリモコン２０の録画キー２３を押下すると、図４のフローチャートに示した処理により、チューナ２ｃの出力が記録媒体７に記録される。この際、４ＣＨと８ＣＨの２つのチャンネルを録画中であることが表示部１２に表示される。
【００７６】
録画を停止する場合、ユーザは、まず、録画停止したいチャンネルの番組をＴＶ４０に表示させる。ユーザがリモコン２０を操作して、例えば４ＣＨの選局を指示すると、図２、図３のフローチャートに示した処理により、チューナ２ａは４ＣＨの放送信号を受信し、このチューナ２ａの出力がＴＶ４０に表示される。
【００７７】
次いで、ユーザがリモコン２０の録画停止キー２４を押下すると、図５のフローチャートに示した処理により、４ＣＨの放送信号を受信しているチューナ２ｂの出力の記録媒体７への記録が停止される。この際、４ＣＨの録画を停止したことと、８ＣＨを録画中であることが表示部１２に表示される。
【００７８】
さらに８ＣＨの録画を停止する場合、ユーザは、リモコン２０を操作して、８ＣＨの選局を指示する。すると、図２、図３のフローチャートに示した処理により、チューナ２ａは８ＣＨの放送信号を受信し、このチューナ２ａの出力がＴＶ４０に表示される。同時に、録画に用いていないチューナ２ｂも８ＣＨの放送信号を受信する。
【００７９】
次いで、ユーザがリモコン２０の録画停止キー２４を押下すると、図５のフローチャートに示した処理により、８ＣＨの放送信号を受信しているチューナ２ｃの出力の記録媒体７への記録が停止される。この際、８ＣＨの録画を停止したことが表示部１２に表示される。
【００８０】
このように、本実施の形態では、ユーザは、どのチューナを用いてどのチャンネルの番組を録画しているのかを意識することなく、録画したいチャンネルの番組をＴＶ４０に表示させて録画キー２３を押下することにより、所望の番組の録画を開始することができる。また、録画を停止する際にも、録画を停止したいチャンネルの番組をＴＶ４０に表示させて録画停止キー２４を押下することにより、所望の番組の録画を停止することができる。
【００８１】
その結果、本実施の形態によれば、チューナの切り換え操作が不要で、感覚的に操作できるため操作性が向上し、操作時のストレスが軽減される。
【００８２】
なお、本実施の形態では、映像音声記録装置が３つのチューナを有する場合を例として説明しているが、２つのチューナ、または４つ以上のチューナを有する場合においても本発明は実現可能である。
【図面の簡単な説明】
【００８３】
【図１】本発明の実施の形態に係る映像音声記録装置の構成を示すブロック図である。
【図２】図１に示す映像音声記録装置の選局操作時の動作を示すフローチャート（その１）である。
【図３】図１に示す映像音声記録装置の選局操作時の動作を示すフローチャート（その２）である。
【図４】図１に示す映像音声記録装置の録画開始操作時の動作を示すフローチャートである。
【図５】図１に示す映像音声記録装置の録画停止操作時の動作を示すフローチャートである。
【符号の説明】
【００８４】
１  分配器
２ａ〜２ｃ  チューナ
３ａ〜３ｃ  Ａ／Ｄ変換器
４ａ〜４ｃ  エンコーダ
５ａ〜５ｃ  バッファ
６  データ制御部
７  記録媒体
８  デコーダ
９  Ｄ／Ａ変換器
１０  受光部
１１  マイクロコンピュータ
１２  表示部
２０  リモコン
２１  チャンネルアップキー
２２  チャンネルダウンキー
２３  録画キー
２４  録画停止キー
３０  アンテナ
４０  テレビ受像機
【図１】
2009200795.tif 000003
【図２】
2009200795.tif 000004
【図３】
2009200795.tif 000005
【図４】
2009200795.tif 000006
【図５】
2009200795.tif 000007